(57)【要約】【課題】  ジョブの優先順位を操作性よく自由に切り替えて印刷する。【解決手段】  入力されたジョブを待機状態とし、操作表示部２５による操作入力を受け付けて、登録設定画面２５０Ｂを表示し、操作表示部２５による操作入力を受け付けて、上記操作表示部２５に優先順位変更画面２５０Ｄを表示し、表示した優先順位変更画面２５０Ｄにおいて待機状態のジョブの優先順位を変更する優先順位変更部２１Ｂとして機能し、上記優先順位変更画面２５０Ｄの表示中はジョブを新たに実行するのを禁止し、上記優先順位変更画面２５０Ｄの表示終了後に上記優先順位にしたがって待機状態のジョブを上記印刷部２２により実行して画像を印刷する制御を行う制御部２１を備える。【選択図】        図２
2010023367.tif 000002
【特許請求の範囲】
【請求項１】
入力されたジョブの画像を形成する画像処理部と、
上記ジョブを実行して画像を印刷する印刷部と、
操作入力画面を表示して操作入力を受け付けるための操作表示部と、
上記操作表示部による操作入力を受け付けて、これらの動作を制御する制御部と
を備え、
上記制御部は、上記ジョブを待機状態とし、上記操作表示部による操作入力を受け付けて、上記操作表示部に優先順位変更画面を表示し、表示した優先順位変更画面において待機状態のジョブの優先順位を変更する優先順位変更部として機能し、上記優先順位変更画面の表示中はジョブを新たに実行するのを禁止し、上記優先順位変更画面の表示終了後に上記優先順位にしたがって上記待機状態のジョブを上記印刷部により実行して画像を印刷する制御を行うことを特徴とする画像形成装置。
【請求項２】
外部機器と接続するためのインターフェース部を備え、
上記制御手段は、上記インターフェース部を介して接続される外部機器から入力されたジョブを待機とする制御を行うことを特徴とする請求項１記載の画像形成装置。
【請求項３】
上記制御手段は、さらに、上記インターフェース部を介して接続される外部機器による操作入力を受け付けて、上記待機状態のジョブの印刷登録を行うとともに、上記外部機器による操作入力を受け付けて、上記優先順位変更部により、上記印刷登録された待機状態のジョブの優先順位を変更する制御を行うことを特徴とする請求項２記載の画像形成装置。
【請求項４】
入力されたジョブの画像を形成する画像処理部と、上記ジョブを実行して画像を印刷する印刷部と、操作入力画面を表示して操作入力を受け付けるための操作表示部と、上記操作表示部による操作入力を受け付けて、これらの動作を制御する制御部とを備える画像形成装置に搭載されるコンピュータにより実行される制御プログラムであって、
上記制御部を、上記ジョブを待機状態とし、上記操作表示部による操作入力を受け付けて、上記操作表示部に優先順位変更画面を表示し、表示した優先順位変更画面において待機状態のジョブの優先順位を変更する優先順位変更部として機能させ、上記優先順位変更画面の表示中はジョブを新たに実行するのを禁止し、上記優先順位変更画面の表示終了後に上記優先順位にしたがって上記待機状態のジョブを上記印刷部により実行して画像を印刷する上記制御部に行なわせる処理を上記コンピュータにより実行させることを特徴とする画像形成装置の制御プログラム。
【発明の詳細な説明】
【技術分野】
【０００１】
本発明は、画像データを入力して印刷するプリンタや複写機、ファクシミリ装置あるいは複合機等の画像形成装置及びその制御プログラムに関する。
【背景技術】
【０００２】
近年、コンピュータネットワークが普及し、多くのオフィスではコンピュータ、プリンタ等の複数台の情報機器を接続したＬＡＮを構築している。コンピュータおよびプリンタ、スキャナ、デジタルカメラなどの周辺機器が普及すると共に、ＬＡＮ等のネットワークも普及しており、ネットワーク上で印刷装置、モデム、画像読取り装置を共有することによって、ネットワーク上のあらゆる装置を使用できる環境になってきた。
【０００３】
また、パーソナルコンピュータ等の外部装置から受信した画像情報に応じて画像形成するプリント機能、リモート端末から受信した画像情報に応じて画像形成するファクシミリ機能、印刷物等をコンタクトイメージセンサ等で読み取るスキャナ機能等を複合一体化した画像形成装置が普及しつつある。
【０００４】
そして、例えば複写機などの画像形成装置は、各々が画像読取り装置、画像印刷装置としての機能を備えているため、外部インターフェースを介して一般のコンピュータ機器と接続し、この複写機を画像の入力装置として利用したり、画像印刷装置部分と接続し、これらをコントロールする中央制御部を設けてプリンタ装置として利用したり、更には、これら複写機を複数台接続し、前述と同様に複数のプリンタ装置として使用することが行われている。
【０００５】
このように複数台の複写機を接続して使用する画像印刷システムでは、複数のプリンタ部分が同時に動作している場合、次の印刷を行う場合には、現在動作中の印刷ジョブが終了するのを待って印刷動作の設定を行う必要があった。また、このようなシステムでは、多くの時間を要する印刷ジョブが多いために、直に印刷したいような場合などであっても、他の印刷が終了するまで待たされる等の問題があった。
【０００６】
そこで、画像データの印刷ジョブの登録、及びその優先順位を設定できるようにして、所望の印刷を素早く実行できるようにした画像印刷システムが提案されている（例えば、特許文献１参照）。
【０００７】
【特許文献１】特開平８−３３５１４７号公報
【発明の開示】
【発明が解決しようとする課題】
【０００８】
ところで、従来提案されている画像データの印刷ジョブの予約、及びその優先順位を設定できるようにした画像印刷システムでは、画像データ入力部より入力された画像データを記憶部に記憶し、その記憶部に記憶されている画像データを予約設定部により印刷予約し、その印刷予約された画像データの印刷ジョブの優先順位を操作パネルより入力されるデータに基づいて優先順位設定部により設定或は変更することにより、その設定された優先順位に従って画像印刷ジョブを実行するものであるが、優先順位設定部による優先順位の変更処理が完了するまでは、先に設定された元の優先順位にしたがって予約されたジョブが実行されるので、優先順位の変更処理を行っている際に、実行中のジョブが終了し、次のジョブが実行されてしまうことがあり、優先順位の変更操作を混乱させることがあった。
【０００９】
なお、各ジョブに対して待機中と実行中という状態を持たせ、給排紙先決定処理が完了したジョブを待機中から実行中に移動するようにし、印刷ジョブの優先順位の変更処理は、待機中ジョブに対してパネル操作から１つ上の優先度に繰り上げることのみが可能で、表示中のジョブも通常の印刷順序になれば表示から消えてしまうという操作仕様とし、パネル操作上も優先度を上げることしかサポートしなければ、優先度切替中に待機中ジョブが実行中に切り替わっても問題はないのであるが、ジョブの優先順位を直接繰り下げることができないので、ジョブの優先順位を繰り下げるのに手間が掛かる。
【００１０】
そこで、本発明の目的は、上述の如き従来の問題点に鑑み、ジョブの優先順位を操作性よく自由に切り替えることができるようにした画像形成装置及びその制御プログラムを提供することにある。
【００１１】
本発明の更に他の目的、本発明によって得られる具体的な利点は、以下に説明される実施の形態の説明から一層明らかにされる。
【課題を解決するための手段】
【００１２】
本発明では、待機中のジョブに関しては優先度を自由に切り替え可能とし、また、パネル画面が優先順位変更表示に切り替わった時点で、待機中に存在しているジョブを勝手に印刷中には切り替えないようにする。
【００１３】
すなわち、本発明に係る画像形成装置は、入力されたジョブの画像を形成する画像処理部と、上記ジョブを実行して画像を印刷する印刷部と、操作入力画面を表示して操作入力を受け付けるための操作表示部と、上記操作表示部による操作入力を受け付けて、これらの動作を制御する制御部とを備え、上記制御部は、上記ジョブを待機状態とし、上記操作表示部による操作入力を受け付けて、上記操作表示部に優先順位変更画面を表示し、表示した優先順位変更画面において待機状態のジョブの優先順位を変更する優先順位変更部として機能し、上記優先順位変更画面の表示中はジョブを新たに実行するのを禁止し、上記優先順位変更画面の表示終了後に上記優先順位にしたがって上記待機状態のジョブを上記印刷部により実行して画像を印刷する制御を行うことを特徴とする。
【００１４】
本発明に係る画像形成装置は、例えば、外部機器と接続するためのインターフェース部を備え、上記制御手段は、上記インターフェース部を介して接続される外部機器から入力されたジョブを待機状態とする制御を行う。
【００１５】
本発明に係る画像形成装置は、上記制御手段は、さらに、上記インターフェース部を介して接続される外部機器による操作入力を受け付けて、上記待機状態のジョブの印刷登録を行うとともに、上記外部機器による操作入力を受け付けて、上記優先順位変更部により、上記印刷登録された待機状態のジョブの優先順位を変更する制御を行うことを特徴とする。
【００１６】
本発明は、入力されたジョブの画像を形成する画像処理部と、上記ジョブを実行して画像を印刷する印刷部と、操作入力画面を表示して操作入力を受け付けるための操作表示部と、上記操作表示部による操作入力を受け付けて、これらの動作を制御する制御部とを備える画像形成装置に搭載されるコンピュータにより実行される制御プログラムであって、上記制御部を、上記ジョブを待機状態とし、上記操作表示部による操作入力を受け付けて、上記操作表示部に優先順位変更画面を表示し、表示した優先順位変更画面において待機状態のジョブの優先順位を変更する優先順位変更部として機能させ、上記優先順位変更画面の表示中はジョブを新たに実行するのを禁止し、上記優先順位変更画面の表示終了後に上記優先順位にしたがって上記待機状態のジョブを上記印刷部により実行して画像を印刷する上記制御部に行なわせる処理を上記コンピュータにより実行させることを特徴とする。
【発明の効果】
【００１７】
本発明では、待機中のジョブに関しては優先度を自由に切り替え可能とし、また、パネル画面が優先順位変更表示に切り替わった時点で、待機中に存在しているジョブを勝手に印刷中には切り替えないようにしたので、ジョブの優先順位を操作性よく自由に切り替えることができる。
【発明を実施するための最良の形態】
【００１８】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１９】
本発明は、例えば図１に示すようにホスト装置１０と複数台の画像形成装置２０Ａ，２０Ｂ，２０Ｃ・・・がＬＡＮなどのネットワーク３０を介して相互に通信可能に接続されてなる画像形成システム１００に適用される。
【００２０】
この画像形成システム１００において、ホスト装置１０は、ネットワーク３０を介して制御データを授受することにより画像形成装置２０Ａ，２０Ｂ，２０Ｃ・・・を管理したり、上記ネットワーク３０を介して印刷データを送って、印刷処理を行うもので、例えば、所謂パーソナルコンピュータからなる。
【００２１】
また、上記画像形成装置２０Ａ，２０Ｂ，２０Ｃ・・・は、例えばコピー、プリント、スキャン、ファクシミリ送信及びファクシミリ受信機能を有する所謂複合機であって、図２に示す画像形成装置２０のように、装置全体の動作制御を司るＣＰＵを中心とする制御部２１を備え、原稿読取部２３、画像処理部２４、操作表示部２５、ジョブ保存部２６、ジョブ情報保存部２７、上記ネットワーク３０に接続するためのＬＡＮカードなどのネットワークインターフェースからなる通信部２８が上記制御部２１に接続されている。
【００２２】
制御部２１は、図３に示すように、この画像形成装置２０の制御プログラムを記憶するＲＯＭ２１１、一時的にデータを保管するＲＡＭ２１２、更新可能な各種設定データなどを保管するＥＥＰＲＯＭ（Electrically Erasable Programmable ROM）２１３及び制御プログラム等を上記ＲＯＭ２１１から読み出して実行するマイクロコンピュータ２１４等からなり、操作表示部２５等において入力された所定の指示情報や、本装置の各所に設けられた各種センサからの検出信号に応じて装置全体の制御を行う。
【００２３】
印刷部２２は、ジョブを出力用紙に印刷する画像形成処理を行うものであって、図示しないプリンタコントローラ、レーザ走査ユニットや定着ローラ等からなる。
【００２４】
原稿読取部２３は、原稿の読み取りを行って当該原稿に対応する画像データを生成するものであって、光学的に取得した原稿の画像から画像データを生成するＣＣＤ(Charge Coupled Device)センサ及び露光ランプ等を備えたスキャナやコンタクトガラス等からなり、コンタクトガラス上に載置された原稿を走査しつつ取得した画像データを制御部２１へ出力する。
【００２５】
画像処理部２４は、与えられたジョブの画像を形成し、印刷データに対する各種画像処理を行うものであって、例えば、印刷データをＲＧＢデータあるいはＣＭＹＫデータに変換する処理や複数の原稿画像を１つの用紙に集約させる画像処理、すなわち、原稿画像の画像サイズを拡大又は縮小する拡大縮小処理や、複数の原稿画像を１つの用紙に配置するレイアウト処理などを行う。
【００２６】
操作表示部２５は、ユーザの操作に応じて所定の指示入力を行うものであって、図４に示すように、装置のオンライン／オフラインを切り換える指示を行うための印刷可／解除キー２５１、実行中の印刷のキャンセルを指示するためのキャンセルキー２５２、装置の初期設定を変更や設定終了を指示するためのメニューキー２５３、 目的のメニューや項目の選択を指示するための矢印キー２５４、モード選択メニューで選択した内容の確定を指示するための実行キー２５５等とともに、装置の動作状態を表示するための液晶表示部２５６を備えている。
【００２７】
ジョブ保存部２５は、ユーザが当該画像形成装置２０に保存依頼を出したジョブを保存する。
【００２８】
ジョブ情報管理部２６は、当該画像形成装置２０内に保存しているジョブの管理を行う。ジョブに付随するジョブ保存ホスト情報(ＩＰアドレス等)もここで管理する。
【００２９】
通信部２８は、ネットワーク３０を通してホスト装置１０や他の装置との間でジョブの送受信を行う。
【００３０】
そして、この画像形成装置２０の制御部２１は、上記ＲＯＭ２１１に書き込まれている制御プログラムにしたがって、例えば図５のフローチャートに示す手順で印刷処理の制御を行う。
【００３１】
すなわち、上記制御部２１は、例えば、ユーザが上記操作表示部２５を操作して原稿のコピーを指示した場合、入力されたジョブの画像、すなわち、上記原稿読取部２３により原稿を読み取って原稿画像データを取得し（ステップＳ１）、取得した画像データに上記画像処理部２４により画像処理を施し（ステップＳ２）、形成した画像を上記ジョブ保存部２５に保存することにより上記ジョブを待機状態とし（ステップＳ３）、上記操作表示部２５の液晶表示部２５６に図６に示すような操作入力画面２５０Ａを表示する制御を行う（ステップＳ４）。
【００３２】
上記操作入力画面２５０Ａには、図６に示すように、コピー倍率、用紙サイズ、コピー枚数等のコピー設定情報５１、ジョブの登録ボタン５２Ａ、ジョブのキャンセルボタン５２Ｂ、ジョブの優先順位設定ボタン５２Ｃ等の各種操作ボタンとともに、現在登録されているジョブの名称、その優先順位などの登録情報５３Ａが表示される。
【００３３】
上記制御部２１は、上記液晶表示部２５６の操作入力画面２５０Ａ上のボタン操作による操作入力を受け付けると（ステップＳ５）、操作入力を受け付けた操作ボタンの種類を判別する（ステップＳ６）。
【００３４】
そして、上記制御部２１は、上記液晶表示部２５１の操作入力画面２５０Ａ上の登録ボタン５２の操作入力を受け付けた場合には、ジョブの登録設定を受け付けて、そのジョブの登録設定を上記ジョブ情報管理部２７に登録する登録設定処理を行う（ステップＳ７）。
【００３５】
また、上記制御部２１は、上記液晶表示部２５１の操作入力画面２５０Ｂ上のキャンセルボタン５３の操作入力を受け付けた場合には、上記ジョブ情報管理部２７に登録されているジョブの登録設定を削除するキャンセル処理を行う（ステップＳ８）。
【００３６】
さらに、上記制御部２１は、上記液晶表示部２５１の操作入力画面２５０Ｂ上の優先順位変更ボタン５４の操作入力を受け付けた場合には、上記ジョブ情報管理部２７に登録されているジョブの登録設定の優先順位を変更する優先順位変更処理を行う（ステップＳ９）。
【００３７】
上記ステップＳ７の登録設定処理では、上記制御部２１は、図７のフローチャートに示すように、上記液晶表示部２５６に図８に示すような登録設定画面２５０Ｂを表示する。
【００３８】
ここで、上記登録設定画面２５０Ｂには、図８に示すように、登録設定を促すメッセージ５４Ｂとともに、登録設定するジョブ、コピー倍率、用紙サイズ、コピー枚数等の登録設定情報５３Ｂ、ＯＫボタン５２Ｄ、取消ボタン５５Ｅなどが表示される。
【００３９】
次に、上記制御部２１は、上記登録設定画面２５０Ｂ上のボタン操作による操作入力を受け付けると（ステップＳ１２）、操作入力を受け付けた操作ボタンの種類を判別する（ステップＳ１３）。
【００４０】
そして、上記制御部２１は、上記登録設定画面２５０Ｂ上のＯＫボタン５２Ｄの操作入力を受け付けた場合には、ジョブの登録設定を受け付けて、現在設定中のジョブの登録設定を上記ジョブ情報管理部２７に登録する登録設定処理（ステップＳ１４）を行い、その登録設定を反映させた表示内容の操作入力画面２５０Ａを上記液晶表示部２５６に表示して（ステップＳ１５）、登録設定処理を終了し、印刷処理継続する。また、上記制御部２１は、上記登録設定画面２５０Ｂ上で取消ボタン５２Ｅの操作入力を受け付けた場合には、上記制御部２１は、現在設定中のジョブの登録をキャンセルし、上記操作表示部２５に元の表示内容の操作入力画面２５０Ａを表示して（ステップＳ１５）、上記ジョブを登録設定することなく登録設定処理を終了する。
【００４１】
また、上記ステップＳ８のキャンセル処理では、上記制御部２１は、図９のフローチャートに示すように、上記液晶表示部２５６に図１０に示すようなキャンセル画面２５０Ｃを表示する（ステップＳ２１）。
【００４２】
ここで、上記キャンセル画面２５０Ｃには、図１０に示すように、ジョブの選択を促すメッセージ５４Ｃとともに、現在登録されているジョブの名称５３Ｃ、ＯＫボタン５２Ｄ、取消ボタン５５Ｅなどが表示される。
【００４３】
次に、上記制御部２１は、上記キャンセル画面２５０Ｃ上のボタン操作による操作入力を受け付けると（ステップＳ２２）、操作入力を受け付けた操作ボタンの種類を判別する（ステップＳ２３）。
【００４４】
そして、上記制御部２１は、上記キャンセル画面２５０Ｃ上に表示したジョブの名称５３Ｃの中の１つを選択が選択されると、その選択入力を受け付けて（ステップＳ２４）、上記ステップＳ２２に戻り、新たな操作入力を受け付ける。すなわち、上記制御部２１は、上記キャンセル画面２５０Ｃ上で名称が表示されているジョブのキャンセルするジョブを選択する選択入力を受け付ける。
【００４５】
ここでは選択されたジョブ名は、網かけ或はその他の方法で識別可能に表示される。
【００４６】
上記制御部２１は、この状態でＯＫキー５２Ｄの操作入力を受け付けると、受け付けた選択入力により示される上記ジョブ情報管理部２７に登録されているジョブの登録設定を削除するキャンセル処理を行い（ステップＳ２５）、そのキャンセル処理の結果を反映させた表示内容の操作入力画面２５０Ａを上記液晶表示部２５６に表示して（ステップＳ２６）、キャンセル処理を終了する。また、上記制御部２１は、上記キャンセル画面２５０Ｃ上で取消ボタン５２Ｅの操作入力を受け付けた場合には、上記操作表示部２５に元の表示内容の操作入力画面２５０Ａを表示して（ステップＳ２６）、選択されたジョブの登録設定をキャンセルすることなくキャンセル処理を終了する。
【００４７】
さらに、上記ステップＳ９の優先順位変更処理では、上記制御部２１は、上記制御部２１は、図１１のフローチャートに示すように、上記液晶表示部２５６に図１２に示すような表示内容の優先順位変更画面２５０Ｄを表示して（ステップＳ３１）、優先順位変更処理が終了するまで、現在実行しているジョブの次に新たなジョブが実行されるのを禁止する制御を行う（ステップＳ３２）。
【００４８】
ここで、上記優先順位変更画面２５０Ｄには、図１２に示すように、ジョブを選択して優先順位の設定することを促すメッセージ５４Ｄとともに、現在登録されているジョブの優先順位５３Ｄ、ＯＫボタン５２Ｄ、取消ボタン５５Ｅ、割込ボタン５５Ｆなどが表示される。
【００４９】
次に、上記制御部２１は、上記優先順位変更画面２５０Ｄ上のボタン操作による操作入力を受け付けると（ステップＳ３３）、操作入力を受け付けた操作ボタンの種類を判別する（ステップＳ３４）。
【００５０】
そして、上記制御部２１は、上記優先順位変更画面２５０Ｄ上で優先順位５２Ｄを表示したジョブの中の１つを選択が選択されると、そのジョブ選択入力を受け付けて（ステップＳ３５）、上記ステップＳ３３に戻り、この状態で選択されたジョブの優先順位を選択して変更する矢印キー２５４の操作による操作入力を受け付け（ステップＳ３５）、上記ステップＳ３３に戻り、新たな操作入力を受け付ける。
【００５１】
さらに、上記制御部２１は、このようにして上記優先順位変更画面２５０Ｄ上で優先順位５３Ｃが表示されているジョブの中から優先順位を変更したいジョブが選択され、その優先順位が指定された状態で、操作入力を受け付けた操作ボタンの種類を判別する（ステップＳ３７）。
【００５２】
そして、上記制御部２１は、上記優先順位変更画面２５０Ｄ上でＯＫキー５２Ｄの操作入力を受け付けると、上記ジョブ情報管理部２７に登録されているジョブの登録設定の優先順序を変更する優先順位変更処理を行い（ステップＳ３８）、その優先順位変更処理の結果を登録情報５３Ａに反映させた例えば図１３に示すような表示内容の操作入力画面２５０Ａを上記液晶表示部２５６に表示して（ステップＳ４０）、優先順位変更処理を終了する。また、上記制御部２１は、上記優先順位変更画面２５０Ｄ上で優先順位５３Ｃが表示されているジョブの中からジョブが選択された状態で、割り込みボタン５２Ｆの操作入力を受け付けると、選択されているジョブに割り込みを設定する割込処理を行い、その割込処理の結果を登録情報５３Ａに反映させた表示内容の操作入力画面２５０Ａを上記液晶表示部２５６に表示して（ステップＳ４０）、優先順位変更処理を終了する。なお、上記制御部２１は、上記優先順位変更画面２５０Ｄ上で取消ボタン５３Ｅの操作入力を受け付けると、上記液晶表示部２５６に元の表示内容の操作入力画面２５０Ａを表示して（ステップＳ４０）、優先順位変更処理を終了する。
【００５３】
このように、この画像形成装置２０の制御部２１は、入力されたジョブの画像を上記画像処理部２４により処理して上記ジョブ保存部２５に保存することにより上記ジョブを待機状態とし、上記操作表示部２５による操作入力を受け付けて、登録設定画面２５０Ｂを表示し、表示した登録設定画面２５０Ｂにおいて上記待機状態のジョブの印刷登録を行う登録設定部２１Ａとして機能するとともに、上記操作表示部２５による操作入力を受け付けて、上記操作表示部２５に優先順位変更画面２５０Ｄを表示し、表示した優先順位変更画面２５０Ｄにおいて上記印刷登録された待機状態のジョブの優先順位を変更する優先順位変更部２１Ｂとして機能し、上記優先順位変更画面２５０Ｄの表示中は登録されたジョブを新たに実行するのを禁止し、上記優先順位変更画面２５０Ｄの表示終了後に上記優先順位にしたがって上記印刷登録された待機状態のジョブを上記印刷部２２により実行して画像を印刷する制御を行う。
【００５４】
すなわち、この画像形成システム１００における画像形成装置２０は、入力されたジョブの画像を形成する画像処理部２４と、上記ジョブを実行して画像を印刷する印刷部２２と、操作入力画面を表示して操作入力を受け付けるための操作表示部２５と、上記操作表示部２５による操作入力を受け付けて、これらの動作を制御する制御部２１とを備え、上記制御部２１は、上記ジョブを待機状態とし、上記操作表示部２５による操作入力を受け付けて、上記操作表示部２５に優先順位変更画面を表示し、表示した優先順位変更画面において待機状態のジョブの優先順位を変更する優先順位変更部として機能し、上記優先順位変更画面の表示中はジョブを新たに実行するのを禁止し、上記優先順位変更画面の表示終了後に上記優先順位にしたがって上記待機状態のジョブを上記印刷部２２により実行して画像を印刷する制御を行う。
【００５５】
また、この画像形成装置２０は、ホスト装置１０等の外部機器と接続するためのインターフェース部として通信部２７を備え、上記制御部２１は、上記通信部２７を介して接続される上記ホスト装置１０等の外部機器から入力されたジョブを待機状態とする制御を行う。
【００５６】
このような構成の画像形成装置２０では、入力されたジョブを待機状態とし、操作表示部２５による操作入力を受け付けて、上記操作表示部２５に優先順位変更画面２５０Ｄを表示し、表示した優先順位変更画面２５０Ｄにおいて待機状態のジョブの優先順位を変更する優先順位変更部２１Ｂとして機能し、上記優先順位変更画面２５０Ｄの表示中はジョブを新たに実行するのを禁止し、上記優先順位変更画面２５０Ｄの表示終了後に上記優先順位にしたがって待機状態のジョブを印刷部２２により実行して画像を印刷する制御を行う制御部２１を備えるので、ジョブの優先順位を操作性よく自由に切り替えることができる。
【図面の簡単な説明】
【００５７】
【図１】本発明を適用した画像形成システムの構成を示すブロック図である。
【図２】上記画像形成システムにおける画像形成装置の構成を示すブロック図である。
【図３】上記画像形成装置の制御部の要部構成を示すブロック図である。
【図４】上記画像形成装置の操作表示部の構成を示す平面図である。
【図５】上記画像形成装置の制御部により実行される印刷処理の制御手順を示すフローチャートである。
【図６】上記画像形成装置の操作表示部に表示する操作入力画面の内容を模式的示す図である。
【図７】上記画像形成装置の制御部により実行される登録設定処理の制御手順を示すフローチャートである。
【図８】上記操作表示部に表示する登録設定画面の内容を模式的示す図である。
【図９】上記画像形成装置の制御部により実行されるキャンセル処理の制御手順を示すフローチャートである。
【図１０】上記操作表示部に表示するキャンセル画面の内容を模式的示す図である。
【図１１】上記画像形成装置の制御部により実行される優先順位変更処理の制御手順を示すフローチャートである。
【図１２】上記優先順位変更処理の際に上記画像形成装置の操作表示部に表示する操作入力画面の内容の例を模式的示す図である。
【図１３】上記優先順位変更処理後に上記画像形成装置の操作表示部に表示する操作入力画面の内容の例を模式的示す図である。
【符号の説明】
【００５８】
１０  ホスト機器、２０，２０Ａ，２０Ｂ，２０Ｃ・・・  画像形成装置、２１  制御部、２２  印刷部、２３  原稿読取部、２４  画像処理部、２５  操作表示部、２６  ジョブ保存部、２７  ジョブ情報管理部、２８  通信部、３０  ネットワーク、５１  コピー設定情報、５２Ａ  登録ボタン、５２Ｂ  キャンセルボタン、５２Ｃ  優先順位設定ボタン、５２Ｄ  ＯＫボタン、５２Ｅ  取消ボタン、５２Ｆ  割込ボタン、５３Ａ  登録情報、５３Ｂ  登録設定情報、５３Ｃ  ジョブの名称、５３Ｄ  ジョブの優先順位、５４Ｂ，５４Ｃ，５４Ｄ  メッセージ、１００  画像形成システム、２１１  ＲＯＭ、２１２  ＲＡＭ、２１３  ＥＥＰＲＯＭ、２１４  マイクロコンピュータ、２５０Ａ  操作入力画面、２５０Ｂ  登録設定画面、２５０Ｃ  キャンセル画面、２５０Ｄ  優先順位変更画面、２５１  印刷可／解除キー、２５２  キャンセルキー、２５３  メニューキー２５３、２５４  矢印キー、２５５  実行キー、２５６  液晶表示部
【図１】
2010023367.tif 000003
【図２】
2010023367.tif 000004
【図３】
2010023367.tif 000005
【図４】
2010023367.tif 000006
【図５】
2010023367.tif 000007
【図６】
2010023367.tif 000008
【図７】
2010023367.tif 000009
【図８】
2010023367.tif 000010
【図９】
2010023367.tif 000011
【図１０】
2010023367.tif 000012
【図１１】
2010023367.tif 000013
【図１２】
2010023367.tif 000014
【図１３】
2010023367.tif 000015